(57)【要約】呼出設定待ち時間を最小化するための技術が開示される。一つの形態では、多数の通信メッセージはカプセル化され、一つのメッセージとして送信し、このように順次伝送によって被る全体の遅延を低減させる。一つの実施例では、カプセル化メッセージはその中にカプセル化されたメッセージの数を示すフィールドを含む。一つの例では、そのカプセル化は回線アクセス制御（ＬＡＣ）層で行われる。代替実施例は代替層でカプセル化を行う。【選択図】図２２
2005500749.tif 000002
【特許請求の範囲】
【請求項１】
無線通信システムにおける呼出設定のための方法であって：
カプセル化メッセージを形成するために複数の通信メッセージをカプセル化すること；及び
カプセル化メッセージを伝送すること
を含む呼出設定の方法。
【請求項２】
誤り訂正機構をカプセル化メッセージに適用することをさらに含む、請求項１記載の方法。
【請求項３】
誤り訂正機構をカプセル化メッセージの中の各メッセージに適用することをさらに含む、請求項１記載の方法。
【請求項４】
無線通信システムにおいて呼出を設定するために使用される装置であって：
複数のメッセージをカプセル化メッセージの中へカプセル化するよう適応するカプセル化モジュール；及び
メッセージをカプセル化モジュールに供給するよう適応するプロセッサ
を具備する装置。
【請求項５】
無線通信システムにおける無線基幹要素（wireless infrastructure element）であって：
カプセル化メッセージを形成するために複数の通信メッセージをカプセル化する手段；及び
カプセル化メッセージを伝送する手段
を具備する無線基幹要素。
【発明の詳細な説明】
【技術分野】
【０００１】
関連文献
この出願は、「呼出設定待ち時間低減のための方法及び装置（METHOD AND APPARATUS FOR CALL SETUP LATENCY REDUCTION）」と題し、現在本発明の譲請人に譲渡されている、２００１年８月１７出願の係属中の出願番号第０９／９３３，４７３号の一部継続出願である。
【０００２】
本発明は一般に通信に関係し、特に無線通信システムにおける呼出設定待ち時間低減のための新規で、且つ改良された方法及び装置に関する。
【背景技術】
【０００３】
無線通信システムは音声、データ等といった様々な型の通信を提供するために広く配備されている。これらのシステムは符号分割多元接続（ＣＤＭＡ）、時分割多元接続（ＴＤＭＡ）、または、他のいくつかの変調技術に基づいている。ＣＤＭＡシステムは、システム容量の増加を含め、他の型のシステムに対してある利点を提供する。
【０００４】
ＣＤＭＡシステムは、（１）「ＴＩＡ／ＥＩＡ‐９５‐Ｂ：二重モード広帯域スペクトル拡散セルラ・システムに関する移動局‐基地局互換規格（TIA/EIA-95-B Mobile Station-Base Station Compatibility Standard for Dual-Mode Wideband Spread Spectrum Cellular System：ＩＳ‐９５規格）」、（２）「第三世代共同プロジェクト（3rd Generation Partnership Project：３ＧＰＰ）」連合により提案され、文書番号３Ｇ  ＴＳ  ２５．２１１、３Ｇ  ＴＳ  ２５．２１２、３Ｇ  ＴＳ  ２５．２１３、及び３Ｇ  ＴＳ  ２５．２１４を含む一組の文書において体系化された規格（Ｗ‐ＣＤＭＡ規格）、（３）「第三世代共同プロジェクト２（3rd Generation Partnership Project 2：３ＧＰＰ２）」連合により提案され、「Ｃ．Ｓ０００２‐Ａ：ｃｄｍａ２０００スペクトル拡散システムに関する物理層規格（C.S0002-A Physical Layer Standard for cdma2000 Spread Spectrum Systems）」、「Ｃ．Ｓ０００５‐Ａ：ｃｄｍａ２０００スペクトル拡散システムに関する上位層（層３）信号規格（C.S0005-A Upper Layer (Layer 3) Signaling Standard for cdma2000 Spread Spectrum Systems）」、及び「Ｃ．Ｓ００２４：ｃｄｍａ２０００高伝送率パケット・データ空間インタフェース仕様（C.S0024 cdma2000 High Rate Packet Data Air Interface Specification）」を含む一組の文書において体系化された規格（ｃｄｍａ２０００規格）、及び（４）いくつかの他の規格といった一以上のＣＤＭＡ規格を支援するように設計される。これらの指定された規格は引例としてここに組込まれている。
【０００５】
呼出設定は通信ができるように移動局と基地局の間で専用物理チャネルを確定し、サービス構成パラメータを取決める処理である。呼出設定手順は二種類に分類される。移動局ユーザーが電話をかけるとき、移動局の発呼設定が発生する。移動局に電話がかかるとき、移動局の呼出終了設定が発生する。
【０００６】
呼出設定手順は移動通信用交換センター（ＭＳＣ）またはパケット・データ・サービス節点（ＰＤＳＮ）、一以上の基地局（ＢＳ）と移動局（ＭＳ）との間の通信を含む。ここに使用されるように、用語：基地局は用語：アクセス・ポイントと互換して使用できる。用語：移動局は用語：加入者ユニット、用語：加入者局、アクセス端末、遠隔端末、または当技術分野で既知の他の対応用語と互換して使用できる。用語：移動局は固定の無線アプリケーションを含む。移動局からの信号は逆方向回線、逆方向チャネル、または逆方向トラフィックとして知られている。移動局への信号は順方向回線、順方向チャネル、または順方向トラフィックとして知られている。
【０００７】
図１はｃｄｍａ２０００規格の報告書Ａで定義された移動局の発呼設定手順を図示する。ステップ１において、移動局は開始メッセージ（Origination Message）１を基地局に送信する。このメッセージは移動局のユーザーが電話をかけることを望むということを通信網に示す。それは呼出の型（即ち、音声、データ等 )を示すダイヤル数字及びサービス選択番号を含む。移動局において十分な強度で受信された近隣の基地局からのパイロット信号の一覧（list）はまたこのメッセージに含まれ、したがって基地局はどのパイロットを稼働集合に含めるかを決定することができる。
【０００８】
ステップ２において、開始メッセージ１を首尾よく受信すると、基地局は基地局認知指令（Base Station Acknowledgement Order）２を移動局へ送信する。このメッセージは開始メッセージ１の受信を認知する。
【０００９】
ステップ３において、基地局は接続管理（ＣＭ）サービス要求メッセージ（Connection Management Service Request Message）３をＭＳＣに送信し、それは呼出を設定するためにＭＳＣを始動させる。このメッセージは開始メッセージ１中の移動局から受信された関連情報を含む。
【００１０】
ＭＳＣはステップ４において割当要求メッセージ（Assignment Request Message）４によって基地局に返答する。このメッセージは無線チャネルを設定するよう基地局に指示する。しかしながら、基地局は開始メッセージ１が受信されるとすぐ、無線チャネルを設定する選択権を有する。
【００１１】
この図では、下で述べられるそれらの図におけると同様に、割当要求メッセージ４が他のメッセージ送信に関してＭＳＣから基地局に伝送される指令は幾分柔軟性があることに注目せよ。その柔軟性を制限する規則がある。ＭＳＣが（移動局の発呼設定に関する）ＣＭサービス要求メッセージ３または（下で述べられる、移動局の呼出終了設定に関する）ページング応答メッセージ（Paging Response Message）２５を受信した後で、割当要求メッセージ４はＭＳＣから基地局に送信されるであろう。基地局がサービス接続メッセージ（Service Connect Message）１０を、下で述べられる、移動局に送信する前に、割当要求メッセージ４が生じる。
【００１２】
ステップ５において、基地局はチャネル割当メッセージ（Channel Assignment Message）５を移動局に送信する。その規格はまた拡張チャネル割当メッセージを定義する。ここで定義されたように、チャネル割当メッセージ５はどちらのメッセージでも表す。このメッセージは呼出に関連するユーザー・トラフィックを伝搬するために専用物理チャネルを移動局に割当てる。それは移動局の稼働集合における全てのパイロットの関連情報を含む。このステップの後で、移動局はトラフィック状態４５０に入る。その状態及び他の状態を含む状態図は図４を参照して下で詳述される。
【００１３】
ステップ６において、チャネル割当メッセージ６を受信すると、順方向回線上で二つの連続する良好なフレームを受信した後で、移動局は基地局が移動局から逆方向回線信号を取得するのを助けるためにプリアンブル（preamble）を基地局に送信する。一旦、逆方向回線が取得されてしまえば、基地局はステップ７において基地局認知指令（Base Station Acknowledgement Order）７を移動局に送信する。基地局認知指令７を受信すると、移動局は移動局が基地局によって送信されている順方向回線を取得したことを示すためにステップ８において移動局認知指令（Mobile Station Acknowledgement Order）を基地局に送信する。
【００１４】
さて、専用物理チャネルは首尾よく設定された。ステップ９において、サービス取決め手順が情報伝送のフォーマットを決定するために移動局と基地局との間で行われる。取決め条項の例はフレーム伝送率（frame rate）、フレーム型式、通信速度、及びトラフィックの型式（即ち、音声またはデータ、適用できればボコーダー率）を含む。いくつかの条項は基地局によって指定され、従って取決め不可能である（例えば、物理チャネルへの論理チャネルの写込み（mapping））。取決めは移動局と基地局との間のサービス要求メッセージ及びサービス応答メッセージの複合的な交換を含む。交換された情報はサービス構成（Service Configuration）情報レコードに含まれる。ステップ１０において、送信された最終取決めメッセージは基地局から移動局へのサービス接続メッセージ１０である。サービス構成情報レコードと取決め不可能サービス構成（Non-Negotiable Service）情報レコードの両方が送信される。規格はまたサービス取決めが進行しているとき無線ハンドオフが必要になる状況において一般的ハンドオフ指示メッセージ（General Handoff Direction Message）または普遍的ハンドオフ指示メッセージ（Universal Handoff Direction Message）がサービス接続メッセージの代りに送信されることを許容する。
【００１５】
いくつかの例では、サービス取決め、ステップ９、が除外できる。移動局が以前に記憶されたサービス構成を使うのであれば、ステップ１０で、基地局は単にサービス接続メッセージ１０を、以前に記憶されたサービス構成を使用することの指示と共に、送信する。規格では、これは USE_OLD_SERV_CONFIGフラグを「０１」に設定することに対応する。
【００１６】
ステップ１１において、サービス接続メッセージ１０を受信すると、移動局はサービス構成提案を受取ったことを示すためにサービス接続完了メッセージ（Service Connect Completion Message）１１を基地局に送信する。サービス接続完了メッセージ１１を受信すると、ステップ１２において、基地局は基地局が呼出を首尾よく設定したことを示すために割当完了メッセージ（Assignment Complete Message）１２をＭＳＣに送信する。
【００１７】
ステップ１０、サービス接続メッセージ１０の後で、そのメッセージによって指定されたサービス構成が発効する。さて、呼出設定が完了し、そして移動局と基地局との間のユーザー・トラフィック（即ち、音声またはデータ ) が流動可能になる。そのトラフィックは、ステップ１２、割当完了メッセージ１２の後、（音声呼出について）基地局とＭＳＣとの間を、または（パケット・データ呼出について）基地局とＰＤＳＮの間を流動するであろう。
【００１８】
図２はｃｄｍａ２０００規格の報告書Ａで定義されたように移動局の呼出終了設定手順を図示する。最初に、ＭＳＣは呼出が移動局に入来しつつあることを示すためにページング要求メッセージ（Paging Request Message）２１を基地局に送信する。第二に、一般ページ・メッセージ（General Page Message）２２は基地局から移動局へ送信される。規格はまた、その機能が一般ページ・メッセージ２２に似ている、普遍ページ・メッセージ（Universal Page Message）を識別し、そして後の用語はどちらのメッセージも示すために全体にわたって使用されるであろう。このメッセージは一以上のセクタ上で送信される。このメッセージはそれが呼出を受信しつつある移動局に、呼出に対応するサービス選択番号（Service Option number）を指示する。
【００１９】
第三に、一般ページ・メッセージを受信すると、移動局は上の開始メッセージ１に記述されたものに類似したパイロットの一覧を含むページ応答メッセージ２３を基地局に送信し、その結果、基地局は適切な稼働集合を決定することができる。第四に、ページ応答メッセージ２３を受信すると、ＢＳ（基地局）は、上の図１に関してステップ２において述べられたように、基地局認知指令２を移動局に送信する。このメッセージはページ応答メッセージ２３の受信を認知する。
【００２０】
第五に、基地局はページング応答メッセージ２５をＭＳＣに送信し、それは呼出を設定するためにＭＳＣを始動させる。図２に示されたその後のステップは図１に関するステップ４から１２において上で述べられた同番号のステップ及びメッセージに対応する。
【００２１】
このような呼出設定手順における各ステップは呼出設定待ち時間に関与する。呼出設定待ち時間、または呼出を設定するに要する時間はデータ使用がさらに普及するにつれて無線システム設計においてますます重要であるパラメータである。現代の無線データ通信システムは「常時」接続性を提供する。パケット交換網設計の当事者は知っているように、「常時」接続性は物理チャネルが特定のユーザーに永久に専用されることを意味しない。これは非能率的な、そして加入者のために費用効果がよくない帯域幅であろう。その代りに、移動局がデータ通信中のとき、呼出は一以上のパケットが送信できるように設定され、そしてその呼出は別のユーザーのためにチャネルを解放するため分解される。一般的なデータ通信期間に、呼出は各呼出の間に発生する呼出設定待ち時間によって設定と分解を繰返す。当然、呼出待ち時間を低減することは、同様に音声通信においても重要であると同時に、強制的なユーザー経歴を無線データ・ユーザーに提供するために非常に重要である。
【００２２】
上で述べられた、各ステップは一つには各メッセージを伝送するのに必要な時間により、そして一つには各メッセージを受信し、適切な次のステップを決定するのに必要な処理時間によって待ち時間を導入する。さらに、呼出設定通信の多くはいくつかの移動局及び基地局によって共有される共通チャネル上で発生する。従って、移動局が共通チャネル（アクセス・チャネルとして知られている）にアクセスするために繰返し試みを行わなければならないとき、呼出設定待ち時間の成分が導入される。さらに、特定の移動局のためのメッセージは他の移動局のためのメッセージと行列されなくてはならず、しかも上に述べられたステップを実行する別の待ち時間の発生源である。従って、呼出設定手順においてステップの数を低減することは、あらゆる残りのメッセージと関連する伝送及び／または処理時間を低減するので、呼出待ち時間を低減する一つの効果的な方法である。
【００２３】
待ち時間低減呼出設定手順はＨＤＲ仕様に定義されており、図３に図示される。そのようなシステムは、「高データ伝送率通信システムにおける適応伝送制御のための方法及び装置（METHOD AND APPARATUS FOR ADAPTIVE TRANSMISSION CONTROL IN A HIGH DATA RATE COMMUNICATION SYSTEM）」と題し、２０００年１１月６日に出願され、本発明の譲請人に譲渡され、ここに引例として組込まれている米国特許出願第０９／７０７，５６９号に開示されている。
【００２４】
図３は図２について記述された手順に関して比較される低減ステップをもつ移動局呼出終了設定手順を図示する。本質的に、図２におけるメッセージ２２、２３、及び２に対応するステップ２から４は除去される。ＭＳＣからのページング要求メッセージ２１に応答して移動局に一般ページ・メッセージ２２を送信する基地局の代りに、基地局は修正されたチャネル割当メッセージ３０を送信する。チャネル割当メッセージ３０は一般ページ・メッセージ２２（図２のステップ２）及びチャネル割当メッセージ５（図２のステップ２）にとって代わる。これはページ応答メッセージ２３（図２のステップ３）及び基地局認知指令２（図２のステップ４）の必要性を除去する。これら三つのステップの除去は呼出設定待ち時間を著しく低減する。
【００２５】
図３の手順は次のとおりである。最初に、ＭＳＣはページング要求メッセージ２１を基地局に送信する。それに対して、基地局は、このように、ページング要求メッセージ２１において識別された移動局にチャネル割当メッセージ３０を送信する。移動局はこのメッセージを受信した後でトラフィック状態４５０に入る。順方向回線上で二つの連続する良好なフレームを受信した後で、移動局はプリアンブル６を基地局に送信する。基地局は移動局に基地局認知指令７を送信することによってプリアンブル６の取得を認知する。それに対して、移動局は基地局に移動局認知指令８を送信する。基地局は呼出を設定するようＭＳＣを始動させるためにＭＳＣにページング応答メッセージ２５を送信する。割当要求メッセージ４はＭＳＣから基地局へ伝送される。以前に記憶されたサービス構成を使用する指示（即ち、USE_OLD_SERV_CONFIGを「１」に設定する）によって緩和されなければ、取決め９が発生する。サービス接続メッセージ１０はあらゆる取決めを終えるために基地局から移動局へ伝送される。移動局はサービス接続完了メッセージ１１とともにサービス接続メッセージ１０を受取る。基地局は呼出が割当完了メッセージ１２によって設定されることをＭＳＣに知らせる。
【００２６】
サービス接続メッセージ１０の後、そのメッセージによって指定されたサービス構成が発効する。今、呼出設定は完了し、そして移動局と基地局との間のユーザー・トラフィック（即ち、音声またはデータ）が流動可能になる。図１に関して上で述べられたように、ステップ１２、割当完了メッセージ１２の後トラフィックはまた（音声呼出について）基地局とＭＳＣの間を、（パケット・データ呼出について）基地局とＰＤＳＮの間を流動するであろう。
【００２７】
図４は移動局の状態図を図示する。示された状態は呼出設定を記述すための有用な一般的な状態であり、移動局が入ることができる全ての状態を表すものではいない。さらに、必ずしも全ての可能な状態の推移が示されているとは限らない。むしろ、本発明の様々な形態について論じるのに有用な一部分（subset）が示されている。状態４１０は電力上昇状態、即ち、移動局が通電されるとき移動局が入る状態である。そして、移動局は初期化状態４２０に進み、その中で移動局はシステムを取得しようと試みる。一旦、少なくとも一つの基地局のためのシステム・タイミングが取得されれば、移動局は遊休状態４３０に入り、そこでは上述の一般ページ・メッセージ２２またはチャネル割当メッセージ３０といった、それに導かれたあらゆるメッセージに関するページング・チャネルを監視する。
【００２８】
遊休状態４３０から、移動局はいくつかの理由のためにシステム・アクセス状態４４０に入る。移動局が（複数の移動局の間で共有される）アクセス・チャネル上で基地局へ通信することを望むとき、システム・アクセス状態に入る。システム・アクセス状態に入り、そしてアクセス・チャネル上で通信する一つの理由は、移動局が新しいセル境界に入ったか、または最近電力を上げたか、及び基地局によってその場所を登録する必要があるときである。別の理由は、（移動局の呼出終了について）上で述べられた、一般ページ・メッセージ２２またはチャネル割当メッセージ３０に応答するためである。第三の理由は、（移動局の発呼について）上で述べられた、開始メッセージ１を送信するためである。呼出設定手順が開始されれば、上で述べられたそれらのように、移動局は首尾よい呼出設定に関してトラフィック状態４５０に進む。この状態は、上で、図１−３で参照される。
【００２９】
登録が完了し（そして呼出設定が開始されなかった）、移動局がアクセス状態に留まることを要求しないメッセージが完了し、移動局が（他の移動局のアクセスによる混雑を含む理由のために）共通アクセス・チャネル上でアクセスすることができないとき、または基地局が伝送されたメッセージを認知することができないとき、移動局は遊休状態４３０に再入するためにシステム・アクセス状態４４０にしておく。さらに、そのシステムがいかに設計されるかに応じて、アクセスできないこと、または認知を受信できないことによって移動局が初期化状態４２０に戻ることもある。これらの失敗事象の際、応答しない基地局との追加試行を行うよりも別の基地局を取得することを試みることが望ましい。
【００３０】
移動局がページを受信することができない（新しい基地局が取得される必要があること意味する）か、移動局が遊休ハンドオフを行うように指示される（即ち、現在の基地局の共通チャネルの監視をやめて、代わりに近隣の基地局の共通チャネルを取得するように指示される）とき、遊休状態４３０は初期化状態４２０になる。
【００３１】
短いデータ・バースト（ＳＤＢ）の特徴は無線通信システムにおいて有用である。これは情報の小さなパケットがアクセス・チャネル上で移動局からの基地局へのメッセージ中にカプセル化することを可能にする。従って、トラフィック状態には決して入らないので、完全な呼出設定は必要とされない。そのようなＳＤＢの特徴はｃｄｍａ２０００において指定される。ＳＤＢ手順は次のとおりに実行される。システム・アクセス状態から、移動局はＳＤＢ情報パケットを含むデータ・バースト・メッセージ（Data Burst Message）を基地局に送信する。基地局はアプリケーション・データ配送サービス（ＡＤＤＳ）伝送メッセージ（Application Data Delivery Service Transfer Message）をＭＳＣに送信し、それはアプリケーション層情報と同様にＳＤＢ情報を含む（即ち、ＳＤＢ、短い通信サービス（ＳＭＳ）、場所配置等といった、パケットの型を識別する）。基地局は基地局認知指令を移動局に送信することによってデータ・バースト・メッセージを認知する。ＭＳＣ（またはＰＤＳＮ）は従ってパケット・データの経路を定める。
【００３２】
ＳＤＢの使用の一例はインターネット・プロトコル（ＩＰ）パケットがＳＤＢ情報中にカプセル化される時である。この場合には、ＭＳＣまたはＰＤＳＮはパケットをインターネットまたはイントラネット上で目的地に、おそらくアプリケーション・サーバにも送ることができる。いくつかの場合には、アプリケーション・サーバに配送されたＳＤＢパケットは究極的に継続通信のために設定されるべきトラフィック・チャネルを必要とするサーバ及び移動局の間のデータ通信を開始するのに役立つ。これらの状況下では、ＳＤＢメッセージは図１に関して記述されたような完全な呼出設定手順に従うであろう。そして、以前に言及されたように、アプリケーション・サーバ及び移動局の間で進行中の通信は多数の呼出設定、即ちパケット・データ通信の性質の副産物を伴う。この例は呼出設定待ち時間を最小限にする必要性をさらに強調するのに役立つ。
【発明の開示】
【発明が解決しようとする課題】
【００３３】
このように、呼出設定待ち時間は多数のメッセージ伝送と対応する認知、各メッセージの長さ、及び各メッセージによって必要とされる関連の処理によって形成される。呼出設定待ち時間は多くの通信アプリケーション、即ち、データ通信と同様に音声通信において好ましくない遅延の一つの原因である。多数の呼出が通信期間、即ち、データを持つ一般的なシナリオの間に設定されなければならない限り、導入された遅延は悪化する。従って、呼出設定待ち時間を最小限にする通信システムが当技術分野において必要性がある。
【課題を解決するための手段】
【００３４】
ここに開示される実施例は呼出設定待ち時間を最小限にする通信システムの必要性を扱う。一形態において、チャネル割当メッセージは以前に取決められたサービス・パラメータの使用を指示するためにフラグと共に送信される。この形態はサービス取決めメッセージの必要性を除去する。別の形態では、チャネル割当メッセージは稼働集合及びそのパラメータの代わりに稼働集合識別子と共に送信される。この形態は、チャネル割当メッセージの伝送時間を低減させる。更にもう一つの形態では、チャネル割当メッセージが移動局ページング及び関係するメッセージを必要としないで移動局の呼出終了設定のために使用できるように、ページングなしの呼出設定は稼働通信期間の間でパイロット強度測定メッセージを送信する移動局によって容易になる。さらに別の形態では、移動局は短いデータ・バースト情報を送信し、短いデータ・バースト情報を含む開始メッセージを送信することによって呼出設定を始めることができる。この形態は、呼出設定が追加メッセージを必要としないで短いデータ・バースト・メッセージに続くことを可能にする。さらに別の形態では、再接続メッセージは休止パケット・データ呼出を作動させるために送信される。この形態は、特に再接続メッセージが一つのフレームに含められるとき、伝送時間及びメッセージ誤り率を低減させる。さらに別の形態では、プリアンブルはチャネル割当メッセージに続いて直接逆方向回線上で送信される。この形態はプリアンブルを送信する前に順方向回線状態を待つことによって導入される呼出待ち時間を除去する。本発明の様々な他の形態もまた紹介される。これらの形態は、全体で、メッセージ伝送時間の低減、伝送メッセージ数の低減、関連する処理要求の減少、及び柔軟性の増加の進んだ利益をもたらし、呼出待ち時間の低減の最終結果につながる。
【００３５】
下でさらに詳細に述べられるように、本発明は本発明の様々な形態、実施例、及び特徴を実行する方法及びシステム要素を提供する。
【００３６】
本発明の特徴、特性、および利点は同様な参照符号が全体にわたり対応して同一である図面と関連して取られる以下に始まる詳細な記述からさらに明らかになるであろう。
【発明を実施するための最良の形態】
【００３７】
図５は多数のユーザーを受持つ無線通信システム１００の図であり、そしてそれは発明の様々な形態を実施することができる。システム１００は一以上の規格及び／または設計（例えば、ＩＳ９５規格、ｃｄｍａ２０００規格、ＨＤＲ仕様）に対応するように設計されている。簡単にするために、システム１００は二つの移動局１０６と通信する三つの基地局１０４を含むもので示される。基地局及びその通信領域は集合的にしばしば「セル（cell）」と云われる。各基地局１０４はＭＳＣまたはＰＤＳＮ１０２と通信する。ＭＳＣまたはＰＤＳＮ１０２は公衆交換電話網（Public Switched Telephone Network：ＰＳＴＮ）、インターネットまたはイントラネットといった通信網（network）と通信する（図示してない）。
【００３８】
移動局の呼出終了について、ｃｄｍａ２０００規格の報告書Ａは移動局が（一般ページ・メッセージまたは普遍ページ・メッセージを介して）最初にページ付をされなければならないことを要求する。そして、移動局がシステム・アクセス状態からページ応答メッセージを送信するとき、基地局は（チャネル割当メッセージを介して）チャネル割当を送信することができる。システム・アクセス状態においてチャネル割当を待ちながら、移動局はページング・チャネルを監視する。
【００３９】
図３に関して上で述べられたように、増強によって基地局は遊休状態の移動局にチャネル割当を直接送信することによりページングを迂回することができる。これには二つの利点がある：それは一般ページ・メッセージ（または普遍ページ・メッセージ）を移動局に送信する必要性を除去し、そしてそれは（ページ応答メッセージを送信するために）移動局による時間がかかるアクセス試行の必要性を除去する。最終効果は呼出設定待ち時間が低減されることである。
【００４０】
しかしながら、チャネル割当の前に移動局をページングするいくつかの理由がある。一つは、稼働集合を決定するために使用できる、ページ応答メッセージにおけるパイロット通知を受信することである。しかし、移動局がトラフィック・チャネル上に最後にあってから経過した時間が小さいときのような、いくつかの場合には、以前に使用された稼働集合が呼出を維持するのに十分であろうことは有りうる。これらの場合について、更新が必要とされるとき、ページングに代るものが使用できる。下記は連続するトラフィック・チャネル動作の間で発生する変化に応答して稼働集合を更新するために情報を提供する二つの方法である。
【００４１】
一実施例は図６に図示される。移動局は更新が必要とされることを決定するとき遊休状態４３０にある。例えば、移動局はパイロットが稼働集合に加えられる必要があることを決定する。それはシステム・アクセス状態４４０に進み、そしてパイロット強度測定メッセージ（Pilot Strength Measurement Message：ＰＳＭＭ）６１０を基地局に配送する。このメッセージ伝送の後で、移動局は遊休状態４３０に戻る。ＰＳＭＭ６１０は基地局が稼働集合を更新するために必要とする情報（即ち、移動局によって見られるパイロット強度）を含む。必要とされる基地局は更新された稼働集合中にあるから、後で、基地局は図３で述べられた呼出設定を自由に行う。大部分の稼働集合は首尾よい通信を排除しないであろうから、アクセス・チャネル上の通信を低減させるために、ＰＳＭＭ６１０は稼働集合からメンバーを降ろすために送信される必要はない。一旦、移動局がそのトラフィック・チャネルに割当てられると、移動局は稼働集合からメンバーを削除するためにトラフィック・チャネル上で基地局に発信することができる。過度のアクセス・チャネル通信を制御する別の方法は移動局の部分集合のみに関してＰＳＭＭ６１０の更新手順を一度に可能にすることである。
【００４２】
代わりの実施例は追加の通信をアクセス・チャネルに加えることを回避し、平均アクセス遅延を低減するが最大遅延が増加する見返りを伴う。図７で図示される、この実施例では、稼働集合は連続する移動局トラフィック・チャネル動作の間で更新されない。新しい呼出を開始するために、図３の手順で述べられたように、基地局はチャネル割当メッセージ３０を移動局に送信する。決定ブロック７１０において、移動局は現在の稼働集合が正しいかどうかを決定する。そうであるならば、呼出設定手順はブロック７５０に続く。上で示されたように、状況はいくつかの呼出に関して一定に留まる稼働集合の可能性が高く、大抵は呼出設定手順は遅延が増加しないで流動するであろうし、そして図６の実施例が導入した余分のアクセス・チャネルが回避された。
【００４３】
稼働集合が更新される必要がある事象では、決定ブロック７１０において、移動局はＰＳＳＭ７２０をアクセス・チャネル上で基地局に送信し続けるであろう。ＰＳＳＭ７２０はＰＳＳＭ６１０と同様の情報を含むことができる。ブロック７３０では、基地局は稼働集合を再構成し、そして更新されたチャネル割当メッセージ７４０を移動局に送信し、そして呼出設定はブロック７５０で続けることができる。ブロック７２０から７４０で述べられたこの追加の通信は図３の設定手順と比べると追加の遅延を導入する。
【００４４】
システム設計者は稼働集合の変化の可能性に基づき全体の呼出設定待ち時間を要望どおり最小にするために図６の実施例、図７の実施例、または両方の組合せを使うことができる。このように、図６に述べられたアクセス・チャネル上の追加通信は図７の手順による最大呼出設定時間の増加の機会（しかし平均呼出設定時間の低減）との兼合いにできる。稼働集合がさらに正しそうなとき、この方法は平均アクセス時間を減少するために使用できる。しかしながら、最大の遅延は（稼働集合が更新されなければならないそれらの状況に関して）増加する。
【００４５】
例として、基地局は移動によって様々な近隣の基地局の受信パイロット強度に多くの変化が導入される移動局に関して図６の手順を可能にすることができ、固定またはあまり移動しない加入者ユニットに関して図７の最大遅延の時折の増加について選択する図６の手順を不能にすることができる。別の選択（option）は、基地局が移動局による前のアクセス以来の時間経過に基づきどちらの呼出設定手順を使用すべきか決定できることである。時間経過が小さければ、移動局が同じセクタにありそうであり、図３、６、または７に述べられたような待ち時間低減手順が適切である。時間経過が閾値より大きければ、図２に述べられたように、基地局はページングを含む呼出設定手順を使用することを決定する。
【００４６】
ｃｄｍａ２０００の報告書Ａでは、ページ応答メッセージ２３がまた認証値 AUTH_R を配送するために使用される。移動局の認証は基地局と移動局との間の共有の秘密及び AUTH_R を生成する乱数に関する認証アルゴリズムを実行することによって達成される。AUTH_R は移動局と基地局の両方で計算され、そして基地局は移動局が本物であることを保証するために移動局から適合する AUTH_R を受信しなければならない。当然、ページ応答メッセージ２３が除去されれば、代替メカニズムが認証のために AUTH_R を配送するために導入されなければならない。一つの代替はトラフィック・チャネル上で AUTH_R を配送する移動局に関するものである。AUTH_R の計算はいくらか時間がかかるので、この代替は計算が呼出設定手順の残りと並行して発生することを可能にする追加の恩恵がある。一旦、呼出設定が完了すると、認証応答がトラフィック・チャネル上で配送される。サービス接続メッセージが送信される前にはユーザー・トラフィックは流動することができないので、トラフィック・チャネル上の認証が失敗すれば、呼出は即座に解除できることに注目せよ。この技術はページングなしでチャネル割当を可能にし、従って呼出設定待ち時間を低減させる。
【００４７】
報告書Ａのｃｄｍａ２０００システムでは、専用チャネルが呼出を設定するために確立される各時間に、移動局と基地局はユーザー及び通信情報を交換するために使用されるサービス構成パラメータに関して（サービス取決めを介して）一致しなければならない。上で述べられたように、専用トラフィック・チャネルを解放し、遊休状態に入る際移動局及び基地局が相互に一致したサービス構成（即ち、サービス構成情報レコード及び取決めできないサービス構成情報レコード）を記憶できる能力が存在する。この記憶された構成は専用チャネルを再確立する際に記憶することができ、このようにしてサービス取決めを行うことを回避する。これは呼出設定待ち時間を低減させる。しかしながら、報告書Ａはなお、専用トラフィック・チャネルを確立する際、基地局が記憶されたサービス構成を使用するよう移動局に指示するサービス接続メッセージを送信する。サービス接続メッセージはサービス取決めメッセージの範疇に属する。
【００４８】
図８はサービス取決めメッセージを除去し、このようにして呼出設定待ち時間を低減する呼出設定手順の実施例を図示する。この実施例では、USE_OLD_SERV_CONFIG フラグ（上述）はチャネル割当メッセージ８１０に含まれる。このフラグが「０１」に設定されると、取決めステップ（即ち、図１−３のステップ９）は必要とされない。さらに、そのフラグはチャネル割当メッセージ８１０に含まれるので、サービス接続メッセージ及びサービス接続完了メッセージ（それぞれ、図１−３の１０及び１１）もまた取除かれる。これらのメッセージの伝送を取除くことからの待ち時間低減に加えて、それらと関連する処理時間もまた取除かれる。別の恩典は、移動局及び基地局が記憶されたサービス構成を即座に復元させ、そして専用トラフィック・チャネルが確立されるとすぐにユーザー・トラフィックの交換を開始できることである。最終効果は呼出設定待ち時間が低減されることである。
【００４９】
下記は図８で図示された実施例の方法のさらに詳細な説明である。この実施例は移動局の発呼及び移動局の呼出終了設定手順のいずれにも適用できる。最初のステップでは、開始メッセージ１またはページ応答メッセージ２３が、呼出がそれぞれ移動局の発呼か移動局の呼出終了であるかに応じて、移動局から基地局に送信される。基地局は移動局に基地局認知指令２を送信することによって応答する。そして基地局は、呼出がそれぞれ移動局の発呼か移動局の呼出終了であるかに応じて、ＭＳＣに接続管理サービス要求メッセージ３またはページング応答メッセージ２５のいずれかをそれぞれ通信する。そして基地局はUSE_OLD_SERV_CONFIG フラグを含むチャネル割当メッセージ８１０を移動局に送信する。基地局がサービス取決めステップを回避することを望み、そして以前に記憶された構成が適切であると決定したときはいつでもこのフラグは設定される。このステップの後で、移動局はトラフィック状態４５０に入る。
【００５０】
残りのステップは、このようなサービス取決めステップの除外を除いては、以前に述べられた呼出設定手続きと同様である。順方向回線上で連続する二つの良好なフレームを受信すると、移動局はプリアンブル６を基地局に送信を始める。ＭＳＣは割当要求メッセージ４を基地局に送信する。（前の構成が再確立されつつあるので、ＭＳＣが割当要求メッセージ４を送る順序は重要ではない）。基地局は基地局認知指令７を移動局に送る。移動局は移動局認知指令８によって基地局に応答し、その時、トラフィックは基地局及び移動局の間で流れ始めることができる。最後に、基地局は割当完了メッセージ１２をＭＳＣに報告する（その時、トラフィックは基地局とＭＳＣの間で流動する）。
【００５１】
報告書Ａによって指定された呼出設定手順において、割当完了メッセージ１２は移動局からのサービス接続完了メッセージ１１を受信した際にだけ基地局からＭＳＣに送信される。しかし、図８の実施例では、割当完了メッセージ１２は専用チャネル（１または複数）を確立し、且つ移動局からＭＳ認知指令を受信した際即座にＭＳＣに送信することができる。このように、通信網側の接続設定は、ある程度、空中インタフェース接続設定と並行して発生し、さらに呼出設定待ち時間を低減させる。
【００５２】
いくつかの状況において、一旦、サービス取決めが必要であろうと決定すると、移動局は以前に記憶されたサービス構成を廃棄することが望ましい。例えば、報告書Ａは早期のチャネル割当特徴を指定し、その中で基地局がチャネルを移動局にむやみに割当てることによって開始メッセージに応答する。チャネル割当メッセージ８１０が使用されれば、基地局は古いサービス構成がそのメッセージが送られる時に使用できるかどうかまだ分からない。これらの状況では、USE_OLD_SERV_CONFIG = '01' フラグを含むサービス接続メッセージ１０がまだ到着せず、サービス取決め９がまだ回避されないので、移動局は前の構成情報を保持しなければならない。この問題に対処する一つの方法は、たとえチャネル割当メッセージ８１０が前の構成を使用するためにフラグ集合なしで受信されても、移動局が記憶された前の構成を保持することである。サービス取決めが始まるときのみ、移動局は前のデータを廃棄すべきである。
【００５３】
これに代るものは追加の値を USE_OLD_SERV_CONFIG フラグに加えることである。例えば、チャネル割当メッセージ８１０が記憶された前の構成が有効であることを示すフラグと共に送信されれば、明らかに移動局はそれを廃棄しないであろう。前の構成が有効であるかどうかを基地局が知らなかったとき、この事例は発生しないであろう。その事例では、追加のフラグ値は前の構成が有効であるかどうか、それがまだ知られていないことを示すために送信されるであろう。この点で、移動局はデータを保持し、そしてサービス取決めが必要とされるまでそれを廃棄するのを待つであろう。最後に、それが早期のチャネル割当ではなく、そして前の構成が最早適当ではないことを基地局が知るとき、サービス取決めが必要とされるので、移動局が自由にデータを廃棄できることを示すフラグ値を送信することができる。
【００５４】
上で述べられたように、別の実施例は短いデータ・バースト（ＳＤＢ）の特徴に関して呼出設定待ち時間を取扱う。移動局が無線で多量の情報を送信する必要があり、従ってデータを搬送するために専用チャネルを確立することが必要なアプリケーションがある。もちろん、これは呼出設定手順を必要とするであろう。前に述べたように、ＳＤＢは完全な呼出設定を行わないで一般のチャネル上で少量のデータを伝送するための機構を提供する。
【００５５】
通信網側で動作の開始を促進するために、移動局は最初に（網動作を始動するために）ＳＤＢの特徴を使用して少量の情報を送信することができる。続いて、専用チャネル（１または複数）が多量のデータを送信するために設定できる。報告書Ａで定義された手順に従うと、前述のものは一つの共通チャネル・アクセスとそれに続くデータ・バースト・メッセージの伝送を必要とし、 別のアクセスとそれに続く開始メッセージの伝送が続くであろう。すなわち、二つの時間がかかるアクセス試行が必要とされるであろう。
【００５６】
図９の実施例では、移動局は、同時に呼出設定手順を始め、そして専用チャネルを設定するため基地局に向けられる開始メッセージ９１０中にＳＤＢ情報を入れることによってＳＤＢを実行することができる。そして基地局はデータがＳＤＢ情報及びＳＤＢとしてデータを識別するデータ型指標を含む アプリケーション・データ配送サービス（ＡＤＤＳ）伝送／ＣＭサービス要求メッセージ（Application Data Delivery Service ( ADDS ) Transfer/CM Service Request Message）９２０を送信する。さらに、ＣＭサービス要求メッセージの機能性は通信網上の余分のメッセージを除去するためにこのメッセージを含めることができる。そして、ブロック９３０において、上で述べられた様々な方法のうちの一つに基づいた呼出設定が進行できる。
【００５７】
このように、開始メッセージのためのアクセスが成功すると、通信網はＳＤＢ内容を適切な通信網実体に送信することができ、一方、残りの専用トラフィック・チャネル確立はまだ進行中である。これにはいくつかの利点がある。それは、時間がかかる追加アクセス試行の必要性を除去し、そして基地局とＭＳＣとの間のＡＤＤＳ転送メッセージを除去する。網動作及び空間インタフェース専用チャネルの確立は並行して発生する。移動局における処理は単純化される。最終効果は呼出設定待ち時間が低減されることである。
【００５８】
さらに別のこれに代るものはＳＤＢ情報を配送するのと同様に前のサービス構成を復元する要求を含むであろう開始メッセージを造ることである。これらの方法が上で述べられた呼出設定手順のどれとでも使用できることは当業者には明らかであろう。
【００５９】
図１２に図示された代替実施例では、休止パケット・データ呼出を再接続するため最小限必要なフィールドを搬送する、再接続メッセージ（Reconnect Message）１２３０としてここに参照された開始メッセージの短い形が使用される。下で詳述されるように、そのようなフィールドの数は比較的少ない。休止呼出の網開始再接続の場合について、この再接続メッセージ１２３０はページ応答メッセージ２３の代りに使用できる。大きな集合のフィールドが必要とされるとき、 １または９１０といった現行の開始メッセージ、またはページ応答メッセージ２３がまだ使用できることに注目せよ。
【００６０】
パケット・データ呼出は三つの状態：ゼロ（null）、休止（dormant）及び稼働（active）を使用して記述できる。パケット・データ接続は、頻繁に状態を変えるけれども、無制限に持続できる。パケット・データ接続が最初に確立されるとき、それはゼロの状態から造られる。音声呼出を確立することと同様に、全ての適切なパラメータは取決められて、一致しなければならない。一旦、呼出が発生すると、上で述べられたトラフィック状態と同様に、稼働状態に入る。稼働状態では、物理チャネルが確立され、そしてデータが移動局と基地局との間で流動する。時々、データがどちらの方向へも流動していないので、パケット・データ接続は最早稼働している必要がない。この点で、物理チャネルは破壊され、そしてパケット・データ呼出は休止状態に入る。
【００６１】
パケット・データ接続が休止状態にある間、サービス構成情報は移動局と基地局の両方に記憶することができる。さらに、プロトコル状態はまた移動局及びＰＤＳＮに記憶される。例えば、二地点間プロトコル（Point-to-Point Protocol：ＰＰＰ）が使用されれば、呼出が稼働から休止に切替わる間、ＩＰアドレス等といった、その状態はそのままである。物理チャネルそれ自身だけは他のユーザーのために資源を解放するために解除される必要がある。このように、休止呼出を再接続するとき、開始メッセージ中のフィールドの小さな部分集合（subset）のみが必要とされる。パケット・データ呼出の使用の増加によって、システムにおける呼出設定開始の割合（percentage）は休止パケット・データ・サービスを稼働状態に戻すことと関連する。
【００６２】
報告書Ａの開始メッセージは音声、回路交換データ、パケット交換データ等を含む様々な呼出型式を開始するように設計されていた。従って、それは呼出設定の各型式に必要とされるフィールドの上位集合であるフィールドを含む。休止パケット・データ呼出を再接続することに関して、開始メッセージにおけるフィールドは三つのクラス：「必要とされる」、「必要とされるかもしれない」、または「必要とされない」に分類できる。必要とされないフィールドの例は音声呼出に特有のものである。いくつかの事例では、あるパラメータは前の呼出設定において取決められていて、従って、それらは必要とされないかもしれないフィールドの例である。SYNC_ID フィールドは、記憶されたパラメータ集合が使用されるべきことを指示するので、必要とされるフィールドの例である。ただちに分かるように、必要とされないそれらのフィールドを除去する再接続メッセージ１２３０は報告書Ａの開始メッセージより著しく小さいであろう。
【００６３】
この実施例が実施されるとき、再接続メッセージ１２３０はしばしば単一フレームで送信でき、いくつかの恩典がある。一つの恩典は伝送時間が低減されることである。別の恩典は現在フレーム誤り率に等しいメッセージ誤り率が低減されることである。これらの恩典の双方共が休止パケット呼出を再接続することと関連する呼出設定待ち時間を低減させる結果となる。
【００６４】
図１２は移動局発の休止呼出再接続の実施例を図示する。ステップ１２１０において、前のパケット・データ呼出は、ゼロ状態または休止状態からの再接続のいずれかからでも確立される。その呼出はステップ１２２０において稼働から休止に進む。その呼出が再接続されるべきであると移動局が決定するとき、上で述べたように、再接続メッセージ、即ち接続を再確立するために最小の必要とされるフィールドを含むメッセージを移動局は基地局に送信する。このメッセージは、図１及び９に関して上で述べられた１または９１０といった開始メッセージの代りである。再接続メッセージ１２３０が送信された後で、ここに開示された方法のうちの一つによって、呼出設定はステップ１２４０において続けられる。
【００６５】
図１３は移動局の休止呼出終了再接続の実施例を図示する。ステップ１２１０から１２４０は、基地局が呼出を開始するステップ１３００が休止状態１２２０と再接続メッセージ１２３０との間に挿入されていることを除けば、図１２に丁度示されたステップと同じである。基地局は、ステップ１３００において、ここに開示された手順の一つに従って呼出の再接続を開始し、そして移動局は、上で述べたページ応答メッセージ２３の代りに再接続メッセージ１２３０によって応答する。
【００６６】
別の実施例は、上で述べたチャネル割当メッセージ５、３０、または３１０といったチャネル割当メッセージの長さによって導入される呼出待ち時間を取扱う。ｃｄｍａ２０００規格の報告書Ａにおいて、専用チャネルがチャネル割当メッセージを介して確立されるたびに、基地局はこのメッセージにおいて完全な稼働集合を指定しなければならない。稼働集合はパイロットの数及び各パイロットに関する必要なパラメータから成り、そのパラメータは、パイロットＰＮ系列オフセット指数、パイロットの型に対応するパイロット・レコード、電力制御シンボル結合指標、基本チャネルの符号チャネル指数、基本チャネルの疑似直交関数マスク識別子、専用制御チャネルの符号チャネル指数、及び専用制御チャネルの疑似直交関数マスク識別子を含む。パイロット・レコードは、伝送ダイバシティ（ＴＤ）伝送電力レベル、伝送ダイバシティ・モード、補助／伝送ダイバシティ・パイロットのウォルシュ符号、補助／伝送ダイバシティ・パイロットの疑似直交関数指数、及び補助伝送ダイバシティ・パイロット電力レベルを含む。これらのパラメータは有効バイト数になりうる。これらの各パラメータはそれらを伝送するために必要な時間（それらがメッセージを次のフレームに引延ばすことになれば）、及びそれらを処理する移動局処理時間による待ち時間を導入する。
【００６７】
図１０及び図１１に図示された方法を含む実施例は稼働集合及び関連するパラメータを識別する稼働集合識別子を利用する。上で述べられたようなメンバー及び稼働集合パラメータの完全なリストを指定する代りに、基地局は特定の構成に対応する稼働集合識別子を単純に指定する。この技術はチャネル割当メッセージの長さを低減させ、チャネル割当メッセージ伝送時間の低減及びチャネル割当メッセージが誤って受信される確立の低減という利点を有する。最終効果は呼出設定待ち時間が低減されることである。いくつかの稼働設定パラメータは変わってしまうことが有りうるので、代わりに基地局は稼働集合識別子にそれらの変化したパラメータを加えて送信することに注目せよ。この代替実施例はさらに広い種類のアプリケーションにおける使用に適する柔軟性を付加する。
【００６８】
このような実施例は図１０、図１１、または両方において図示された方法のいずれも含む。図１０の方法は稼働集合識別子を特定の稼働集合に割当てる一方法を図示する。ブロック１０００において、呼出設定手順が進行中である。そして基地局は完全な稼働集合及びパラメータを含むチャネル割当メッセージ１０１０を移動局に送信する。さらに、チャネル割当メッセージ１０１０は移動局がその稼働集合を関連付けできる稼働集合識別子を含む。ブロック１０２０において、呼出設定プロセスは続く。稼働集合識別子を稼働集合に割当てる代わりの方法はそれらが使用される通信に先立って基地局がそのような稼働集合／稼働集合識別子の対を移動局にダウンロードすることである。
【００６９】
図１１は、図１０に記述されたような手順を使用して、一旦、稼働集合識別子が稼働集合に割当てられたときそれを利用する方法を図示する。ブロック１１００において呼出設定手順は進行中である。基地局は稼働集合識別子を含むチャネル割当メッセージ１１１０を移動局に送信する。移動局は稼働集合のメンバー及び稼働集合識別子に対応する各メンバーの対応パラメータを知っているので、稼働集合識別子はチャネル割当を行うのに十分である。代りに、稼働集合識別子に関連するパラメータが変わっていれば、メッセージ１１１０は変ったパラメータと共に稼働集合識別子を含むことができる。呼出設定手順はブロック１１２０で続く。移動局及び基地局は稼働集合構成及びそれらの対応する稼働集合識別子が、記憶されたサービス構成を復元するための方法である、 SYNC_ID の検証に関してｃｄｍａ２０００規格において指定された機構を用いて移動局と基地局との間で同期していることを保証することができる。
【００７０】
同様の技術はＰＳＭＭ６１０及びＰＳＭＭ７２０の長さをそれぞれ低減させるために図６及び図７に述べられた方法と共に使用できる。移動局は現在識別されたパイロット構成の中の一つによって基地局を更新するので、識別子のみが送信の必要があるように、パイロット識別子はいくつかのパイロット構成の各々と関連させることができる。しかし、パイロット強度は多くの値をとることができ、したがって識別子と関連させることは難しいので、これは可能性が少ない。
【００７１】
別の代替方法は稼働集合（及びその関連するパラメータ）の各メンバーのために識別子を割当てることである。この技術によって、複数の識別子は複数のメンバーを表すためにチャネル割当メッセージ１１１０に含められるであろう。これは、僅かに長いメッセージになるが、記憶されたメンバー構成の比較的小さな集合の組合せを用いて多数の稼働集合が識別できるという点で大きな柔軟性を与えるさらに粗い手段を提供する。基地局はこのような技術の組合せを使用できるであろう。これらの技術は伝送された各チャネル割当メッセージ１１１０に関連する全体の伝送時間を低減させるために組合わせて実施することができる。これらの方法がここに述べられた呼出設定手順によって使用できることは当業者には明らかであろう。この方法は稼働集合が含まれる全てのメッセージにおいて利用できることに注目せよ。別の例は普遍ハンドオフ指令メッセージを含み、この方法を使うことによりメッセージの大きさを減少でき、したがってメッセージ誤り率も同様に低減することができる。
【００７２】
図１４に図示された別の実施例では、呼出設定待ち時間は、上で述べられた５、３０、８１０、１０１０、または１１１０といったチャネル割当メッセージに応答してプリアンブル６を即座に送信することによって低減させることができる。以前に言及されたように、報告書Ａは移動局が逆方向回線を可動させ、且つプリアンブルを送信する前に順方向回線上で連続する二つの良好なフレームを受信するのを待つことを要求している。移動局が１秒以内に連続する二つの良好なフレームを受信しなければ、移動局は呼出設定を放棄しなければならない。二つのフレームは４０ｍｓに対応し、フレーム境界を待つのは別に０から２０ｍｓかかるので、移動局がプリアンブルを送信する前に待たなければならない最小の時間は４０〜６０ｍｓである。
【００７３】
この実施例では、呼出設定はステップ１４００において進行中である。そして基地局は、図１４において５で示されたチャネル割当メッセージを送信するが、上で述べた３０、８１０、１０１０、または１１１０といったどのチャネル割当メッセージでもできるであろう。それに応答して、移動局は即座に逆方向回線を設定し、そして順方向回線上の良好なフレームを受信するのを待たないで、プリアンブル１４１０の送信を始める。そして、ステップ１３２０において、呼出設定はここに述べられたような様々な呼出設定手順に従って続く。移動局は良好なフレームについて順方向回線を監視し続けることができ、いくつかの良好なフレームが規定時間フレーム内に受信されなければ呼出を終了することができる。例えば、報告書Ａに述べられたように、移動局は１秒以内に連続する二つの良好なフレームを探すことができる。代わりに、他のユーザーへの干渉を低減させるため、良好なフレームの必要な数が規定時間期間内に受信されなければ、移動局はプリアンブルを停止することができる。この時間期間は良好なフレームが到着できる時間期間より短いかもしれない。このように、良好なフレーム要求が最初の時間期間内に満たされなければ、移動局はプリアンブルを送信するのを中止するが、第二の時間期間内に良好なフレームについて順方向回線を監視し続けることができる。良好なフレームが最終的に到着すれば、移動局は応答してプリアンブルの送信を始めることができる。この代替技術は良好なフレームの出現が遅いか、全く到着しない状況において他のユーザーへの干渉を低減させるために使用することができる。プリアンブルのステップ１４１０はここに開示された実施例のどれにおいてもプリアンブルのステップ６に代用できることに注目せよ。
【００７４】
報告書Ａの方法に対して、呼出が最終的に中断されるであろうときでも、移動局は少なくともある期間逆方向回線上で送信しているであろう。これらの状況では、他のユーザーへの干渉レベルは他ユーザー干渉の増加に伴う有害な影響によって僅かに増加するであろう。しかしながら、多くの場合、順方向回線上で良好なフレームを受信する確率は高いであろうし、そしてこの実施例を使うことはそれに伴う全ての恩典によって呼出待ち時間を低減させるであろうし、それは完了できない呼出について逆方向回線を時たま設定する有害な影響を凌駕するであろう。
【００７５】
図９に図示された実施例と類似した、代替実施例はまた呼出設定待ち時間を低減させる問題を取扱う。現行のｃｄｍａ２０００システムでは、逆方向アクセス・チャネル上の通信メッセージは並行ではなく連続的に処理され、ここでは第二のメッセージの送信の前に第一のメッセージが送信され、且つ認知されることに注目せよ。この手法では、次のメッセージは送信されないで前のメッセージの承認を待っている。最初のメッセージは何回でも再送信できることに注目せよ。そして第二のメッセージの全体の待ち時間は最初のメッセージによって被る待ち時間または遅延に第二のメッセージによって被る待ち時間または遅延を加えたものである。同じ期間に伝送に利用可能ないくつかのメッセージの場合について、これは好ましくない状況になる。
【００７６】
さらに呼出設定待ち時間を低減させる様々な方法を考察するために、ｃｄｍａ２０００システムの例が提示される。呼出設定待ち時間を低減させる方法及び装置は他のシステム及び他の構成にも適用できることに注目せよ。ｃｄｍａ２０００システムは理解を明らかにするための例として提示される。しかしながら、本発明は通信メッセージの結果が待ち時間を招くあらゆるシステムに適用できる。
【００７７】
図１７はｃｄｍａ２０００システムと整合する無線通信システムのアーキテクチャ層を図示する。ここでは、層３通信メッセージは上位層（Upper Layer）通信層で生成され、そしてＬＡＣ部分層（sublayer）に配送される。ＬＡＣ部分層はこのメッセージにヘッダ（headers）とトレーラ（trailers）を加え、ＭＡＣ部分層に配送する。ＭＡＣ部分層はメッセージを伝送するために物理層（Physical Layer）のサービスを使用する。ユーザー・サービス（音声及びデータ）はまたユーザー・トラフィックの伝送のためにＭＡＣ及び物理層のサービスを使用する。
【００７８】
図１５はｃｄｍａ２０００システムと整合する無線通信システムのアーキテクチャ層を図示する。そのアーキテクチャは層３通信及び下位層（lower layer）通信２００８を含むデータ部２０１４に連結された監視及び構成管理部２００２を含む。処理決定は管理及び構成管理部２００２によって行われ、一方、パケット・データ・ユニット（ＰＤＵ）はデータ部２０１４によって生成される。
【００７９】
図１６は図１７に示されたアーキテクチャを持つシステムのＬＡＣ層プロトコル・スタックの詳細を図示する。生成または受信されたデータ・ユニットはプロトコル・スタックを行き来するので、それは様々なプロトコル部分層によって連続して処理される。各部分層は部分層に定義された機能性と関連するデータ・ユニットの特定のフィールドのみを処理する。例えば、ＡＲＱ部分層は認知関連のフィールドにのみ作用し、そして二重検知及び再伝送機能を実行する。図１７で定義されたアーキテクチャのデータ部分では、層３またはＬ３及び回線アクセス制御（ＬＡＣ：Link Access Control）部分層は論理チャネル上で通信情報を送信及び受信し、層１で使用されるような物理チャネルの無線特性を無効にする。論理チャネルは一般に一方向性（順方向か逆方向のいずれか）の特性であるが、多くの場合それは関連のトラフィックを反対の方向に搬送する論理チャネルと機能的に連結されるか対にされる。典型的実施例では、システムは通信情報を搬送するために次の型の論理チャネルを使用する。
【００８０】
・ｆ‐ｃｓｃｈ／ｒ‐ｃｓｃｈ（順方向共通通信チャネル／逆方向共通通信チャネル）
・ｆ‐ｄｓｃｈ／ｒ‐ｄｓｃｈ（順方向専用通信チャネル／逆方向専用通信チャネル）
図１８は一実施例に従って移動局呼出処理を図示する。呼出処理は次の状態を含む：
・移動局初期化状態２０２２−ここで移動局はシステムを選択し、取得する。
【００８１】
・移動局遊休状態２０２４−ここで移動局はｒ‐ｃｓｃｈ上でメッセージを監視する。
【００８２】
・システム・アクセス状態−ここで移動局はｒ‐ｃｓｃｈ上でメッセージを基地局に送信する。
【００８３】
・トラフィック・チャネル上の移動局制御状態−ここでは移動局はｆ‐ｄｓｃｈ及びｒ‐ｄｓｃｈを使用して基地局と通信する。電力が移動局に印加された後、移動局は電力増大指示によって移動局初期化状態のシステム準決定状態に入ることになる。
【００８４】
移動局初期化状態２０２２において、最初に移動局は使用するシステムを選択する。選択されたシステムがＣＤＭＡシステムであれば、移動局はＣＤＭＡシステムを取得し、それからＣＤＭＡシステムに同期させる。選択されたシステムがアナログシステムであれば、移動局はアナログ・モード動作を開始する。
【００８５】
移動局遊休状態２０２４では、移動局はページング・チャネルまたは、迅速なページング・チャネルを監視する。移動局はメッセージを受信し、入来する呼出（移動局終了呼出）を受信するか、呼出（移動局発呼出）を開始するか、優先アクセス及びチャンネル割当（Priority Access and Channel Assignment：ＰＡＣＡ）を取消すか、登録を開始するか、またはメッセージ伝送を開始することができる。
【００８６】
システム・アクセス状態２０２６では、移動局はメッセージをｒ‐ｃｓｃｈ上で基地局に送信し、そしてｆ‐ｃｓｃｈ上で基地局からメッセージを受信する。
【００８７】
トラフィック・チャネル上のＭＳ制御状態２０２８では、移動局は順方向及び逆方向トラフィック・チャネルを使用して基地局と通信する。
【００８８】
移動局がトラフィック・チャネルへ導かれるとき、呼出処理はトラフィック・チャネルのＭＳ制御状態２０２８に移行する。トラフィック・チャネルの使用の終了で、呼出処理はＭＳ初期化状態２０２２に逆移行する。
【００８９】
図１９及び２０は逆方向アクセス・チャネル上でアクセス手順を行う移動局を図示する。一つの層２カプセル化ＰＤＵを送信し、ＰＤＵの認知を受信する（または受信できない）全体の処理はアクセス試行と呼ばれる（図１９参照）。一つのアクセス試行は一以上の部分アクセス試行（access sub-attempts）から成る。部分アクセス試行における各伝送はアクセス・プローブ（access probe）と呼ばれる。各アクセス・プローブはＲ‐ＡＣＨプリアンブル及びＲ‐ＡＣＨメッセージ・カプセルから成る。部分アクセス試行の中で、アクセス・プローブはアクセス・プローブ系列にまとめられる。各アクセス・プローブ系列のために使用されるＲ‐ＡＣＨは現在のＦ‐ＰＣＨと関連する全てのＲ‐ＡＣＨの中から疑似無作為に選択される。現在のＦ‐ＰＣＨと関連するＲ‐ＡＣＨがただ一つであれば、アクセス・プローブ系列内の全てのアクセス・プローブは同じＲ‐ＡＣＨ上で伝送される。現在のＦ‐ＰＣＨと関連するＲ‐ＡＣＨが一以上あれば、アクセス・プローブ系列内のアクセス・プローブは現在のＦ‐ＰＣＨと関連する別のＲ‐ＡＣＨ上で伝送できる。各アクセス・プローブ系列は最大１＋ＮＵＭ_ＳＴＥＰｓのアクセス・プローブから成る。各アクセス・プローブ系列の最初のアクセス・プローブは公称開ループ電力レベルに関連して決定される初期電力で伝送される。アクセス・プローブ系列の中の次の各アクセス・プローブは基地局によって供給されたパラメータの関数である電力レベルで伝送される。アクセス・プローブ及びアクセス・プローブ系列のタイミングはＲ‐ＡＣＨスロットによって表される。アクセス・プローブの伝送はＲ‐ＡＣＨスロットの開始から始まる。各アクセス・プローブ系列の開始のタイミングは疑似無作為に決定される。全てのアクセス・プローブ系列について、０から１＋ＢＫＯＦＦｓスロットまでのバックオフ遅延ＲＳは疑似無作為に生成される。追加遅延は連続遅延（Persistence Delay）の値を決定する任意の持続検査を用いて課される。アクセス・プローブ系列のアクセス・プローブ間の遅延は疑似無作為に生成される。共通チャネル多重部分層がアクセス・プローブ系列中の全てのアクセス・プローブを現在のＦ‐ＰＣＨと関連する同じＲ‐ＡＣＨ上で伝送すれば、次のアクセス・プローブは０から１＋ＰＲＰＢＥ_ＢＫＯＦＦｓスロットまでの追加バックオフ遅延ＲＴの後で伝送される。共通チャネル多重部分層が現在のＦ‐ＰＣＨと関連する全てのＲ‐ＡＣＨの中からＲ‐ＡＣＨを疑似無作為に選択すれば、次のアクセス・プローブは０から１＋ＰＲＰＢＥ_ＢＫＯＦＦｓスロットまでの追加バックオフ遅延ＲＴの後で伝送される。
【００９０】
逆方向アクセス・チャネル上の通信メッセージの伝送は初期電力レベルでメッセージを送信し、そして「再伝送タイマ」を起動させるＭＳを包含する。認知が再伝送タイマの終了前に受信されれば、そのメッセージは首尾よく伝送されたと考えられ、移動局は次のメッセージを処理することができる。しかしながら、再伝送タイマが認知の受信前に終了すれば、移動局はさらに高い電力レベルでメッセージを再伝送する。この手順はそのメッセージが首尾よく配送されるか、または再伝送の最大許容数に達するまで繰返される。
【００９１】
逆方向アクセス・チャネル上では各アクセスに関連するある遅延がある。その遅延は、他の要素と同様に、メッセージを首尾よく配送するのに必要な再伝送のメッセージの長さ、数の関数である。現在の手順によれば、多数のメッセージが伝送に利用可能なとき、これらの各メッセージはアクセス遅延を別々に受ける。このように全てのメッセージを首尾よく配送するために必要な全体の時間は個々の各メッセージを順次に配送する結果として生じる遅延の和である。そのようなメッセージの二つ以上を一つのメッセージにカプセル化して、一つのアクセスを行うことはアクセス遅延を低減することになる。構成メッセージの大きさ（サイズ）がさほど大きくなく、カプセル化メッセージのメッセージ誤り率が個々の構成メッセージのメッセージ誤り率の範囲内にあるとき、これは特に事実である。
【００９２】
図２１はｃｄｍａ２０００システムにおいてアクセスメッセージを伝送する現行の方法を示すタイミング図である。上の線は逆方向アクセス・チャネル、即ち、移動局から基地局へのアクセス伝送チャネル上の通信に関する時間線（timeline） を表す。下の線は順方向チャネル、即ち、基地局から移動局への伝送チャネル上の伝送に関する時間線を表す。逆方向アクセス・チャネル上で下方を指す垂直の矢は移動局で伝送に利用可能になるメッセージを示す。例えば、逆方向アクセス・チャネルによって、最初の時間ｔ１に、最初のメッセージ（Ｍ１）は移動局で伝送のため利用可能である。順方向チャネル上で下方を指す垂直の矢は移動局で受信される基地局からのメッセージを示す。
【００９３】
図２１を続けると、時間ｔ２において第２のメッセージ（Ｍ２）が伝送のため移動局で利用可能である。そのメッセージは発呼メッセージ、及び／またはデータ・バースト・メッセージといった通信メッセージである。様々なメッセージ型式が利用可能であり、そのあらゆる組合せがシステムによって処理できる。時間ｔ３で、メッセージＭ１は最初の電力レベルで伝送される。上方を指示す垂直の矢は関連チャネル上での伝送を示す。時間ｔ３ではまた、再伝送タイマが起動される。再伝送タイマが時間切れになり、そして時間ｔ４で、メッセージＭ２はさらに高い電力及び／またはエネルギー・レベルで再伝送される。さらに先と同様に、再伝送タイマは再起動される。タイマは再び時間切れになり、メッセージＭ１が再び時間ｔ５で伝送される。逆方向アクセス・チャネルと連携して、メッセージＭ１はｔ５のいくらかの時間の後基地局で受信され、それに応答して時間ｔ９において移動局は首尾よい受信の認知を受信する。時間ｔ６で、メッセージＭ２は逆方向アクセス・チャネル上で移動局によって伝送される。前と同様に、再伝送タイマはメッセージＭ２の伝送に基づいて起動される。メッセージＭ２は首尾よい受信及び認知（時間ｔ１０における）の前に、基地局によってｔ６、ｔ７、ｔ８の３回伝送される。
【００９４】
一実施例によると、システムは多数の構成要素の通信メッセージを合成メッセージにカプセル化した新しい通信メッセージを使用する。そのメッセージは層３またはＬ３でカプセル化される。この場合、下位層に配送されたカプセル化メッセージは下位層によって新しいメッセージと見なされ、従って下位層は多数の通信メッセージが中に含まれるという事実がわからない。
【００９５】
図２２はカプセル化メッセージを使用するこの呼出設定方法を示すタイミング図である。前と同様に、メッセージＭ１及びＭ２は時間ｔ１及びｔ２においてそれぞれ逆方向アクセス・チャネル上の伝送に利用可能である。この実施例において、メッセージＭ１及びＭ２は一つのメッセージにカプセル化され、時間ｔ３で共に伝送される。二つの伝送は時間ｔ４及びｔ５で行われる。その後で、カプセル化メッセージが首尾よく基地局によって受信され、認知は時間ｔ６で受信される。本実施例によって被る遅延時間を図２１の順次的な方法のそれと比較すると、二つのメッセージの全体の待ち時間において低減がある。
【００９６】
一実施例では、回線アクセス制御（ＬＡＣ）ヘッダ及びトレーラ（または低位層手順）は単一のカプセル化メッセージに適用される。認知手順は単一のカプセル化メッセージに適用する。そこでは、受信されたカプセル化メッセージは、全体のメッセージに関して巡回冗長度検査（Cyclical Redundancy Check：ＣＲＣ）といった、誤り訂正技術に基づいて評価される。この実施例では、個別構成メッセージは別々に評価されない。
【００９７】
図２３は図２２の伝送方法において使われる処理を示す。カプセル化メッセージｉはステップ２１００において伝送される。カプセルに化メッセージｉは多数の個別メッセージを含む。カプセル化メッセージｉはＬＡＣ層によって一つのメッセージとして処理される。これは、共通の誤り訂正手法が適用され、受信器に受信されるまでそのメッセージが区別されないことを示す。全体のカプセル化メッセージが首尾よく受信されなければ、個別メッセージのいずれも回収できない。決定ダイヤモンド２１０２において、その処理は認知が受信されたかどうかを判定する。受信されてなければ、処理はメッセージｉを再伝送するためにステップ２１００に戻る。システムの仕様によれば再伝送の所定の数は別の行動方針をとる前に許容されることに注目せよ。同様に、電力が各再伝送に対して調整される電力制御方法は再伝送手順によって実施される。認知の受信の際、その処理は次のメッセージを処理するために指数ｉを増分するステップ２１０４に続く。
【００９８】
代替実施例では、個別の通信メッセージはメッセージが共に伝送されるべきであるという指示とともに回線アクセス制御（ＬＡＣ）部分層に配送される。この場合には、ＬＡＣ層は多数のメッセージを一つのメッセージにカプセル化するのに積極的に関与している。ＬＡＣ層は多数の通信メッセージを一つのＬ３ ＰＤＵの中に連結する。これはカプセル化を行うＬ３に相当する。これに代るものでは、ＬＡＣ層は各通信メッセージを個別メッセージとして取扱うが、それを一つのアクセス・プローブとして伝送する。この場合には、ＬＡＣヘッダ及びトレーラは個別の各メッセージ（例えば、ＣＲＣ）に適用される。ＬＡＣ層はカプセル化を認識しているが、媒体アクセス制御（Medium Access Control：ＭＡＣ）層及び低位層は一般にカプセル化を認識していない。ＢＳは、他方のメッセージが間違っていても、一方のメッセージを処理することができる。この場合には、認知手順は伝送されたメッセージのどちらのものが正しく受信されたかを指示するように修正されることに注目せよ。ＭＳは正しく受信されなかった部分（parts）を再伝送することができる。
【００９９】
図２４は図２２の伝送方法において使われる処理を示す。ステップ２１０６で、多数のメッセージを含むカプセル化メッセージが伝送される。この実施例では、しかしながら、多数のメッセージは個別にそれぞれ識別される。ＬＡＣ層は個別の誤り訂正機構を適用し、ここではメッセージのうちの一つが失われれば、その他は首尾よく受信される。決定ダイヤモンド２１０８で、その処理はカプセル化メッセージ中の全てのメッセージが正しく受信されるかどうかを判定する。全てのメッセージが受信されれば、その処理は終わる。少なくとも一つのメッセージが正しく受信されなければ、その処理は他のメッセージをもつ新しいカプセル化メッセージの一部として不成功のメッセージを伝送するためにステップ２１１０に続く。他のメッセージが未決定でなければ、不成功のメッセージが単独で伝送されることに注目せよ。
【０１００】
図２５は一実施例を示し、ここでは移動局はカプセル化メッセージの所望の、または受入れ可能なフレーム誤り率に基づいてカプセル化するメッセージの数を決定する。ステップ２２００で、その処理は束ねるべきメッセージの数を決定する。ステップ２２０２で、その処理はカプセル化メッセージを用意する。これは上で述べられたあらゆる方法を包含し、または多数のメッセージが一つのユニットとして伝送されるカプセル化の代替方法を考察する。ステップ２２０４で、その処理はカプセル化メッセージを伝送する。全ての部分が受信されれば、その処理は決定ダイヤモンド２２０６において決定する。全ての部分（即ち、メッセージ）が受信されれば、処理は終わるか、メッセージの次の集合を束ねるためにステップ２２００に戻る。少なくとも一つのカプセル化メッセージが正しく受信されなかったならば、処理は受信されないメッセージを再伝送するステップに続く。
【０１０１】
図２６はそれぞれ通信バス２３１２に接続されたプロセッサ２３０２及びアプリケーション２３１２を含む移動局装置を示す。さらに、カプセル化モジュール２３０６、送信／受信回路２３０８、及びチャネル選択器２３１０がそれぞれ通信バス２３１２に接続されている。メッセージはアプリケーション２３０４及び／またはプロセッサ２３０２において生成され、カプセル化モジュール２３０６に供給される。カプセル化モジュール２３０６は多数のメッセージをカプセル化し、カプセル化メッセージを送信／受信回路２３０８に供給する。カプセル化モジュール２３０６によってユーザーは通信メッセージを伝送する所望の方法を選択することが可能となることに注目せよ。
【０１０２】
共にカプセル化されつつある開始メッセージ及びデータ・バースト・メッセージを含む多数のメッセージを考察すると、Ｌ３の振舞は開始メッセージだけを送信することと類似していることが予期される。これはまたページ応答メッセージ及びデータ・バースト・メッセージについてページ応答メッセージ単独に類似していることが予期される。二つのデータ・バースト・メッセージが共にカプセル化されるとき、その振舞は単一のデータ・バースト・メッセージを送信することと類似していることが予期される。カプセル化メッセージの例は次のとおりに与えられる：
【表１】
2005500749.tif 000003
【０１０３】
ＮＵＭ_ＥＮＣＡＰＳＵＬＡＴＥＤ_ＭＳＧＳフィールドに加えて、移動局は次の４フィールド・レコードを含むことになっている：
【表２】
2005500749.tif 000004
【０１０４】
上で与えられたフィールドは以下に定義される。
【０１０５】
ＮＵＭ_ＥＮＣＡＰＳＵＬＡＴＥＤ_ＭＳＧＳ−カプセル化Ｌ３メッセージの数、ここでは移動局はこのメッセージにカプセル化されたＬ３メッセージの数にこのフィールドを設定することになっている。移動局は次の４フィールド記録のＮＵＭ_ＥＮＣＡＰＳＵＬＡＴＥＤ_ＭＳＧＳ実現値を含むことになっている：
ＭＳＧ_ＩＤ−カプセル化Ｌ３メッセージ識別子、ここでは移動局はこのフィールドをこのＬ３メッセージに対応するメッセージ識別子に設定することになっている。
【０１０６】
Ｌ３_ＭＥＳＳＡＧＥ_ＬＥＮ−カプセル化Ｌ３メッセージ長、ここでは移動局はこのフィールドをＬ３メッセージの長さに設定することになっている。
【０１０７】
Ｌ３_ＭＥＳＳＡＧＥ−カプセル化Ｌ３メッセージ、ここでは移動局はこのフィールドをこのメッセージによってカプセル化されるＬ３メッセージに設定することになっている。
【０１０８】
Ｌ３_ＭＥＳＳＡＧＥ_ＲＥＳＥＲＶＥＤ−保留フィールド、ここでは移動局は全体の記録を８進数に並べるためにこのフィールドの全てのビット「０」に設定することになっている。
【０１０９】
代替実施例はカプセル化メッセージの識別のための様々な方法を含む。本実施例はカプセル化メッセージが伝送されつつある受信器に情報を供給する方法の例として提供される。
【０１１０】
上で述べられた全ての実施例において、方法のステップは発明の範囲から逸脱しないで置換えできることは注目すべきである。
【０１１１】
情報及び信号は様々な異なる技術及び技法のどれでも使用して表されることを当業者は理解するであろう。例えば、上の記述の至る所で引用されるデータ、指示、命令、情報、信号、ビット、シンボル、及びチップは電圧、電流、電磁波、磁場または粒子、光学場または粒子、またはそのあらゆる組合せによって表される。
【０１１２】
ここで開示された実施例に関連して記述された様々な例示の論理的ブロック、モジュール、回路、及び、アルゴリズム・ステップは電子ハードウェア、コンピュータ・ソフトウェア、または双方の組合せとして実施できることを通常の当業者はさらに理解するであろう。このハードウェア及びソフトウェアの互換性を明瞭に示すために、様々な例示部品、ブロック、モジュール、回路、及びステップがそれらの機能性に関して一般に上で記述されてきた。そのような機能性がハードウェアまたはソフトウェアとして実施されるかどうかは全体のシステムに課せられた特定の応用及び設計の制約に依存する。熟練技術者は特定の各応用について種々の方法で記述された機能性を実施できるであろうが、そのような実施の決定は本発明の範囲から逸脱するものと解釈されるべきではない。
【０１１３】
ここに開示された実施例に関連して記述された様々な例示の論理的ブロック、モジュール、及び回路は一般用途プロセッサ、ディジタル信号プロセッサ（ＤＳＰ）、特定用途向け集積回路（ＡＳＩＣ）、フィールド・プログラム可能ゲートアレイ（ＦＰＧＡ）または他のプログラム可能論理デバイス、個別ゲートまたはトランジスタ論理、個別ハードウェア部品、またはここに記述された機能を実行するために設計されたそのあらゆる組合せによって実施、或いは実行される。一般用途プロセッサはマイクロプロセッサでもよいが、これに代りでは、そのプロセッサはあらゆる従来のプロセッサ、コントローラ、マイクロコントローラ、または状態機械でもよい。プロセッサはまた計算デバイスの組合せ、例えば、ＤＳＰとマイクロプロセッサの組合せ、複数のマイクロプロセッサ、ＤＳＰコアと接続した一以上のマイクロプロセッサ、またはそのようなあらゆる他の構成として実施される。
【０１１４】
ここに開示された実施例に関連して記述された方法またはアルゴリズムの操作は直接ハードウェアにおいて、プロセッサによって実行されるソフトウェア・モジュールにおいて、或いは二つの組合せにおいて組込まれる。ソフトウェア・モジュールはＲＡＭメモリ、フラッシュ・メモリ、ＲＯＭメモリ、ＥＰＲＯＭメモリ、ＥＥＰＲＯＭメモリ、レジスタ、ハードディスク、交換可能ディスク、ＣＤ−ＲＯＭ、または当技術分野において既知の他の型式の記憶媒体に駐在する。典型的な記憶媒体はプロセッサが記憶媒体から情報を読取り、記憶媒体に情報を書込むことができるようにプロセッサに接続される。それに代るものでは、記憶媒体はプロセッサに一体化してもよい。プロセッサ及び記憶媒体はＡＳＩＣに駐在してもよい。ＡＳＩＣはユーザー端末に駐在してもよい。それに代るものでは、プロセッサ及び記憶媒体はユーザー端末中に個別部品として駐在してもよい。
【０１１５】
開示された実施例の先の記述は当業者が本発明を行い、或いは使用することを可能にするために提供される。これらの実施例への様々な変更は当業者には直ちに明白であり、ここに定義された一般原理は本発明の精神または範囲から逸脱することなく他の実施例に適用できる。このように、本発明はここに示された実施例に限定されることを意図していないが、ここに開示された原理及び新規な特徴と両立する最も広い範囲を与えられるべきである。
【図面の簡単な説明】
【０１１６】
【図１】移動局の発呼設定手順を図示する。
【図２】移動局の呼出終了設定手順を図示する。
【図３】ページングなしの移動局の呼出終了設定手順を図示する。
【図４】移動局の状態図である。
【図５】多数のユーザーを受持ち、本発明の様々な形態を実施できる無線通信システムである。
【図６】ページングなしの呼出設定を行うため呼出の間でパイロット強度情報を更新する方法を図示する。
【図７】ページングなしの呼出設定を行うためパイロット強度情報を更新する別の方法を図示する。
【図８】サービス取決めメッセージを使用しないで移動局の発呼または呼出終了設定を実行する手順である。
【図９】同時に短いデータ・バースト情報を送信し、呼出を開始する方法を図示する。
【図１０】稼働集合識別子を稼働集合と関連させる方法を図示する。
【図１１】稼働集合識別子を利用することによってチャネル割当メッセージ長を低減させる方法を図示する。
【図１２】休止パケット・データ呼出の移動局開始の再接続のための方法を図示する。
【図１３】休止パケット・データ呼出の移動局終了の再接続のための方法を図示する。
【図１４】チャネル割当メッセージに応答してプリアンブルを即座に送信するための方法を図示する。
【図１５】無線通信システムのアーキテクチャを図示する。
【図１６】無線通信システムのアーキテクチャ図である。
【図１７】無線通信システムのアーキテクチャ図である。
【図１８】無線通信システムにおける呼出開始及び処理の状態図である。
【図１９】無線通信システムの動作を図示する。
【図２０】無線通信システムの動作を図示する。
【図２１】無線通信システムにおけるメッセージの伝送を図示するタイミング図である。
【図２２】カプセル化メッセージの伝送を図示するタイミング図である。
【図２３】無線通信システムにおいて待ち時間を低減させる様々な方法に関するフローチャートを図示する。
【図２４】無線通信システムにおいて待ち時間を低減させる様々な方法に関するフローチャートを図示する。
【図２５】無線通信システムにおいて待ち時間を低減させる様々な方法に関するフローチャートを図示する。
【図２６】カプセル化メッセージの受信及び／または伝送に適応する無線装置を図示する。
【図２７】一実施例に従ってカプセル化手法を図示する。
【図１】
2005500749.tif 000005
【図２】
2005500749.tif 000006
【図３】
2005500749.tif 000007
【図４】
2005500749.tif 000008
【図５】
2005500749.tif 000009
【図６】
2005500749.tif 000010
【図７】
2005500749.tif 000011
【図８】
2005500749.tif 000012
【図９】
2005500749.tif 000013
【図１０】
2005500749.tif 000014
【図１１】
2005500749.tif 000015
【図１２】
2005500749.tif 000016
【図１３】
2005500749.tif 000017
【図１４】
2005500749.tif 000018
【図１５】
2005500749.tif 000019
【図１６】
2005500749.tif 000020
【図１７】
2005500749.tif 000021
【図１８】
2005500749.tif 000022
【図１９】
2005500749.tif 000023
【図２０】
2005500749.tif 000024
【図２１】
2005500749.tif 000025
【図２２】
2005500749.tif 000026
【図２３】
2005500749.tif 000027
【図２４】
2005500749.tif 000028
【図２５】
2005500749.tif 000029
【図２６】
2005500749.tif 000030
【図２７】
2005500749.tif 000031
【国際公開パンフレット】
2005500749.tif 000032
2005500749.tif 000033
2005500749.tif 000034
2005500749.tif 000035
2005500749.tif 000036
2005500749.tif 000037
2005500749.tif 000038
2005500749.tif 000039
2005500749.tif 000040
2005500749.tif 000041
2005500749.tif 000042
2005500749.tif 000043
2005500749.tif 000044
2005500749.tif 000045
2005500749.tif 000046
2005500749.tif 000047
2005500749.tif 000048
2005500749.tif 000049
2005500749.tif 000050
2005500749.tif 000051
2005500749.tif 000052
2005500749.tif 000053
2005500749.tif 000054
2005500749.tif 000055
2005500749.tif 000056
2005500749.tif 000057
2005500749.tif 000058
2005500749.tif 000059
2005500749.tif 000060
2005500749.tif 000061
2005500749.tif 000062
2005500749.tif 000063
2005500749.tif 000064
2005500749.tif 000065
2005500749.tif 000066
2005500749.tif 000067
2005500749.tif 000068
2005500749.tif 000069
2005500749.tif 000070
2005500749.tif 000071
2005500749.tif 000072
2005500749.tif 000073
2005500749.tif 000074
2005500749.tif 000075
2005500749.tif 000076
2005500749.tif 000077
2005500749.tif 000078
2005500749.tif 000079
2005500749.tif 000080
2005500749.tif 000081
2005500749.tif 000082
2005500749.tif 000083
2005500749.tif 000084
2005500749.tif 000085
2005500749.tif 000086
2005500749.tif 000087
2005500749.tif 000088
2005500749.tif 000089
2005500749.tif 000090
2005500749.tif 000091
2005500749.tif 000092
【国際調査報告】
2005500749.tif 000093
2005500749.tif 000094
2005500749.tif 000095